(57)【要約】      （修正有）【課題】本体枠の前面に固定する遊技盤の遊技領域を十分に確保でき、遊技盤が無用に係合解除されてしまうことがない弾球遊技機を提供する。【解決手段】本体枠６の一側縁に透明板保持枠１４を開閉自在に軸支し、遊技球が転動可能な遊技領域を有する遊技盤２０を本体枠と透明板保持枠との間に設け、鍵孔が本体枠の前面に露呈するシリンダ錠１２が備えられた施錠装置を本体枠の他側縁に設け、施錠装置に透明板保持枠に係合する第１係合機構と、遊技盤に係合する第２係合機構とを設け、特定のキーによりシリンダ錠を回転操作することにより第１係合機構による透明板保持枠との係合が解除され、係合解除された透明板保持枠を開くことにより制限が解除されてシリンダ錠をさらに回転操作することを可能とする操作制限手段が設けられ、シリンダ錠がさらに回転操作されることにより第２係合機構による遊技盤との係合が解除されるようにする。【選択図】図３
2014176481.tif 000002
【特許請求の範囲】
【請求項１】
本体枠の一側縁に透明板保持枠を開閉自在に軸支し、遊技球が転動可能な遊技領域を有する遊技盤を該本体枠と該透明板保持枠との間に設け、鍵孔が本体枠の前面に露呈するシリンダ錠が備えられた施錠装置を該本体枠の他側縁に設け、該施錠装置に透明板保持枠に係合する第１係合機構と、遊技盤に係合する第２係合機構とを設け、前記鍵孔に挿入した特定のキーにより該シリンダ錠を回転操作することにより前記第１係合機構による透明板保持枠との係合が解除され、係合解除された透明板保持枠を開くことにより制限が解除されてシリンダ錠をさらに回転操作することを可能とする操作制限手段が設けられ、該シリンダ錠がさらに回転操作されることにより前記第２係合機構による遊技盤との係合が解除されるようにしたことを特徴とする弾球遊技機。
【請求項２】
本体枠の一側縁に透明板保持枠を開閉自在に軸支し、遊技球が転動可能な遊技領域を有する遊技盤を該本体枠と該透明板保持枠との間に設け、鍵孔が本体枠の前面に露呈するシリンダ錠が備えられた施錠装置を該本体枠の他側縁に設け、施錠装置に透明板保持枠に係合する第１係合機構と、遊技盤に係合する第２係合機構と、遊技盤押出機構とを設け、前記鍵孔に挿入した特定のキーにより該シリンダ錠を回転操作することにより前記第１係合機構による透明板保持枠との係合が解除され、係合解除された透明板保持枠を開くことにより制限が解除されて前記シリンダ錠をさらに回転操作することを可能とする操作制限手段が設けられ、該シリンダ錠がさらに回転操作されることにより前記第２係合機構による遊技盤との係合が解除され、該第２係合機構が係合解除作動した後に該シリンダ錠をさらに同方向に回転操作することにより前記遊技盤押出機構が作動して遊技盤が前方に押し出されるようにしたことを特徴とする弾球遊技機。
【請求項３】
遊技盤押出機構は、適宜間隔を離して設けた少なくとも２つの押圧部により遊技盤の裏面を同時に押圧するものであることを特徴とする請求項２に記載した弾球遊技機。
【請求項４】
透明板保持枠の裏面に遊技盤に係合する係脱機構を設け、第１係合機構が係合解除作動するのと同時に該係脱機構が連動し遊技盤との係合が解除されるようにしたことを特徴とした請求項１〜３のいずれかに記載した弾球遊技機。
【発明の詳細な説明】
【技術分野】
【０００１】
本発明は、パチンコ、アレンジボール、雀球等のパチンコ球が転動する遊技領域を有する遊技盤を備えた弾球遊技機に関し、さらに詳しくは、前面側から遊技盤を交換可能に構成した弾球遊技機の施錠装置に関するものである。
【背景技術】
【０００２】
一般にパチンコ遊技機は、本体枠（前面枠または遊技機本体とも称される）が方形枠状の機枠の一側縁に開閉自在に軸支され、該本体枠に遊技球が転動可能な遊技領域を有する遊技盤が固設され、該本体枠の一側縁に透明板保持枠（ガラス枠とも称される）が開閉自在に軸支され、該本体枠の前面側に露呈するシリンダ錠の鍵孔に特定のキーを挿入し、該シリンダ錠を一方向に回転操作することにより透明板保持枠が解錠されて該透明板保持枠が前方に開閉可能となり、該シリンダ錠を反対方向に回転操作することにより本体枠が解錠されて該本体枠が前方に開閉可能となるように構成されている。
【０００３】
なお、近年、パチンコ遊技機は、リサイクルや経済性の観点から、遊技盤とその遊技盤に付随する遊技制御基板を交換可能に構成したものが主流となりつつある。それに伴い遊技盤の取付方法は、従来のように遊技機の後面側から着脱する方式から、例えば下記特許文献１の図９〜図１２に示されたように、遊技機の前面側から操作できる遊技盤装着部材（クランプ装置）を設けることにより、遊技盤が遊技機の前面側に着脱され、遊技盤を交換し易いようにした構造に変わりつつある。
さらに、最近の傾向として、遊技球を遊技機の外部に一切放出せず、１台の遊技機の中で遊技球を循環させる方式のパチンコ遊技機（封入式遊技機）が見直されている。即ち、この方式は、島台に球循環設備を設ける必要がなく、遊技場への設置が容易となるので、将来的にはこのような遊技機が普及すると思われるが、このような遊技機では、遊技盤と透明板保持枠とをワンセットとして交換し得るようにすることにより、遊技場への設置および遊技機のリニューアルがさらに容易になることが見込まれる。
【先行技術文献】
【特許文献】
【０００４】
【特許文献１】特開２０１０−０２２５９１号公報
【発明の概要】
【発明が解決しようとする課題】
【０００５】
ところで、特許文献１に示された弾球遊技機の遊技盤クランプ装置は、遊技盤を前面から本体枠に押し付ける構造のものであったので、遊技盤の周縁部の遊技盤押し付けのためのスペースを要するとともに、クランプ装置が遊技盤を引き出すための複数のリンク部材からなる複雑で大きく嵩張る装置となり、遊技盤の周縁部外側のスペースも占有し、そのために遊技盤上の遊技球が転動可能な遊技領域が狭くなってしまうという問題があった。
なお、近年は、液晶図柄表示装置や可動役物が大型化するのに伴い、パチンコ球が転動する遊技領域が狭くなってきているので、遊技領域を可能な限り拡大することが強く望まれている状況であるが、上記のように大型化したクランプ装置は意匠的に見栄えが悪く、また、これを覆い隠すようなカバー部材を配置すると、遊技領域を拡大することがさらに難しくなるという問題がある。
【０００６】
そこで本発明は、透明板保持枠を開閉するために弾球遊技機に従来から設けられている施錠装置を利用して遊技盤を前面側から簡単に交換し得るようにするとともに、遊技盤着脱のための機構が小型化され、遊技盤の遊技領域を大きく確保し得るようにするものである。
【課題を解決するための手段】
【０００７】
そのために本発明に係る弾球遊技機は、本体枠の一側縁に透明板保持枠を開閉自在に軸支し、遊技球が転動可能な遊技領域を有する遊技盤を該本体枠と該透明板保持枠との間に設け、鍵孔が本体枠の前面に露呈するシリンダ錠が備えられた施錠装置を該本体枠の他側縁に設け、該施錠装置に透明板保持枠に係合する第１係合機構と、遊技盤に係合する第２係合機構とを設け、前記鍵孔に挿入した特定のキーにより該シリンダ錠を回転操作することにより前記第１係合機構による透明板保持枠との係合が解除され、係合解除された透明板保持枠を開くことにより制限が解除されてシリンダ錠をさらに回転操作することを可能とする操作制限手段が設けられ、該シリンダ錠がさらに回転操作されることにより前記第２係合機構による遊技盤との係合が解除されるようにしたことを特徴とする。
このように操作制限手段を設け、透明板保持枠を開かない限りシリンダ錠をさらに回転操作することができないように構成することにより、遊技盤が無用に一気に係合解除されてしまうようなことを防止することができる。
また、本発明に係る弾球遊技機は、本体枠の一側縁に透明板保持枠を開閉自在に軸支し、遊技球が転動可能な遊技領域を有する遊技盤を該本体枠と該透明板保持枠との間に設け、鍵孔が本体枠の前面に露呈するシリンダ錠が備えられた施錠装置を該本体枠の他側縁に設け、施錠装置に透明板保持枠に係合する第１係合機構と、遊技盤に係合する第２係合機構と、遊技盤押出機構とを設け、前記鍵孔に挿入した特定のキーにより該シリンダ錠を回転操作することにより前記第１係合機構の作動により透明板保持枠との係合が解除され、係合解除された透明板保持枠を開くことにより制限が解除されて前記シリンダ錠をさらに回転操作することを可能とする操作制限手段が設けられ、該シリンダ錠がさらに回転操作されることにより前記第２係合機構が作動して遊技盤との係合が解除され、該第２係合機構が係合解除作動した後に該シリンダ錠をさらに同方向に回転操作することにより前記遊技盤押出機構が作動して遊技盤が前方に押し出されるようにしたことを特徴とする。
このように操作制限手段を設けたことで、遊技盤押出機構まで作動して、遊技盤が無用に一気に係合解除され前方に押し出されるのを防止することができる。
また、遊技盤押出機構は、適宜間隔を離して設けた少なくとも２つの押圧部により遊技盤の裏面を同時に押圧するものであることを特徴とする。このように複数の押圧部によって遊技盤が押し出されるようにすることで、遊技盤が不安定に傾くことなくスムースに離脱する。
また、透明板保持枠の裏面に遊技盤に係合する係脱機構を設け、第１係合機構が係合解除作動するのと同時に該係脱機構が連動し遊技盤との係合が解除されるようにしたことを特徴とする。透明板保持枠が第１係合機構と該係脱機構とにより二重にロックされセキュリティーが向上する。
【発明の効果】
【０００８】
本発明では、本体枠の前面に遊技盤を固定するための機構が施錠装置に組み込まれ、該施錠装置を操作することにより遊技盤が係合解除されるようにしたので、遊技盤の交換が容易になる。また、遊技盤を固定するためのクランプ装置等を別途に設ける必要がなく省スペース化がなされるため遊技盤の遊技領域を十分に確保できるようになる。また、操作制限手段を設けて透明板保持枠を開かない限りシリンダ錠をさらに回転操作することができないように構成したことにより、遊技盤が無用に一気に係合解除されてしまうようなことを防止することができる。
【図面の簡単な説明】
【０００９】
【図１】本発明に係る弾球遊技機の正面図。
【図２】本発明に係る弾球遊技機の透明板保持枠を開いた状態の斜視図。
【図３】本発明に係る弾球遊技機の透明板保持枠および遊技盤を開いた状態の斜視図。
【図４】本発明に係る弾球遊技機の透明板保持枠と遊技盤とを取り外したときの斜視図。
【図５】図１の弾球遊技機の左上部の拡大図。
【図６】本発明に係る弾球遊技機の透明板保持枠に設けられる係脱機構の分解斜視図。
【図７】本発明に係る弾球遊技機の施錠装置の分解斜視図。
【図８】本発明に係る弾球遊技機の施錠装置の分解斜視図。
【図９】本発明に係る弾球遊技機の施錠装置と遊技盤の係合片とを示す斜視図。
【図１０】図９の下半部の拡大図。
【図１１】本発明に係る弾球遊技機の施錠装置と透明板保持枠の係脱機構とを示す斜視図。
【図１２】図１１の下半部の拡大図。
【図１３】本発明に係る弾球遊技機の施錠装置の第１係合機構が係合解除作動したときの下半部の拡大左側面図。
【図１４】図１３の施錠装置の裏面図。
【図１５】本発明に係る弾球遊技機の施錠装置の第２係合機構が係合解除作動したときの下半部の拡大左側面図。
【図１６】図１５の施錠装置の裏面図。
【図１７】本発明に係る弾球遊技機の施錠装置の遊技盤押出機構が作動したときの下半部の拡大左側面図。
【図１８】図１７の施錠装置の裏面図。
【図１９】本発明に係る弾球遊技機の施錠装置が本体枠と機枠との係合解除作動をしたときの下半部の拡大左側面図。
【図２０】図１９の施錠装置の裏面図。
【発明を実施するための形態】
【００１０】
次に本発明の実施形態をパチンコ遊技機について図面に従い説明する。外枠とも称される縦長方形状の機枠１は、遊技場の島台に固設されるもので、図２、図３に示したように、一側縁の上下部に受片２，３が前方に向けて突設され、該受片２の上面に支軸２ａが突設され、該受片３の上面に支軸３ａが突設される。なお、機枠１の他側縁の内面に上下間隔を離して一対の係合部材４ａ，４ｂ（破断線で示す）が固設される。
【００１１】
６は前面下部に球受皿７、操作盤８、発射ハンドル９等が設けられている他、裏側に景品球払出装置、景品球タンク、遊技制御回路基板ボックス（いずれも図示せず）等が設けられた本体枠（前面枠または遊技機本体とも称される）で、該本体枠６の一側縁の下部に軸受片１０が突設され、該軸受片１０に形成された軸受孔に前記支軸３ａを遊嵌して該軸受片１０を受片３上に支持するとともに、該本体枠６の一側縁の上部に軸受片１１が突設され該軸受片１１に形成された軸受孔に前記支軸２ａを遊嵌することにより、該本体枠６が機枠１の前方に開閉自在なるように軸支される。１２は後述する施錠装置を作動させるために該本体枠６の他側縁（軸支部の反対側側縁、即ち、自由側縁）で、該本体枠６の前面に鍵孔が露呈するように設けられたシリンダ錠である。なお、前記軸受片１１には前記受片２の下方にＬ字状に伸びるようにさらなる軸受部１１aが一体に形成され、該軸受部１１ａと相対するように該本体枠６の一側縁の下部寄りに受片１３が突設され、該受片１３の上面に支軸１３ａ（図１に示す）が突設される。そして該支軸１３ａと該軸受部１１ａに後述するように透明板保持枠１４および遊技盤２０が着脱自在に軸支される。なお、本体枠６の前面は遊技盤２０が合致し得る凹窪が額縁状に形成されているとともに、遊技盤２０の一側縁が係合し得るように鉤状の止着片６ａが固設されている。
【００１２】
透明板保持枠１４は、図２、図４に示されるように、裏面下辺部にレール状の縁材１４ａが突設され、裏面上辺部には回転可能なるように一対の係合爪１５が設けられ、該縁材１４ａ上に二重の板ガラスからなる透明板１６が支持されるとともに、該透明板１６の上縁部に該係合爪１５を係合することで該透明板１６が着脱可能に取り付けられる。また、該透明板保持枠１４の一側縁の下部に形成された透孔に前記支軸１３ａを遊嵌するとともに、該透明板保持枠１４の一側縁の上部にツマミ１９を上下することにより上下動し得るように支軸１７が前記支軸１３ａと相対するように設けられる。１８は該支軸１７を上向きに付勢するために設けられたコイルバネである。
【００１３】
なお、透明板保持枠１４の他側縁（自由側縁））には図６に示した係脱機構３０が設けられる。該係脱機構３０は、透明板保持枠１４の裏面に水平断面Ｌ字状の基板３１が固設され、該基板３１の上下位置に係合部３２ａ，３２ｂを起立状に形成する一方、該基板３１に同Ｌ字状の取付板３３を固設している。一方、上下に長い板状の係脱部材３４の上下部に形成された長孔３５ａ，３５ｂにリベット３６ａ，３６ｂを遊嵌して該係脱部材３４を取付板３３の内面に上下に進退動自在なるように設け、該係脱部材３４に起立部３５を起立形成するとともに、長孔３５ａ，３５ｂ付近に下向き鉤状の係合片３７ａ，３７ｂを形成し、コイル状のスプリング３８を取付板３３と該係脱部材３４との間に張設することにより該係脱部材３４を下向きに付勢してなる。３３ａは取付板３３の上部内面に突設されたストッパで、該ストッパ３３ａに係脱部材３４の上端縁が当たることで該係脱部材３４の上動可能範囲が制限されるようにしている。
【００１４】
遊技盤２０は本体枠６と透明板保持枠１４との間に設けられるもので、前面に多数の障害釘を固植することにより球誘導レール２３に包囲された遊技球が自由に転動可能な遊技領域２１が形成され、液晶図柄表示装置２２、入賞装置等が設けられる。また、図４に示されるように遊技盤２０の一側縁の上下部に軸受片２４、２５が前方に向けて突設され、下部の軸受片２５に形成された軸受孔に前記支軸１３ａを遊嵌し受片１３上に該軸受片２５が支持されるようにするとともに、上部の軸受片２４に形成された軸受孔に前記支軸１７を遊嵌することで、透明板保持枠１４と遊技盤２０とを互いに開閉自在に軸支し、この状態でツマミ１９を操作し支軸１７を下降させると、透明板保持枠１４と遊技盤２０とは分離し得るよう構成される。２０ａ，２０ｂは、遊技盤２０の他側縁（自由側縁））に固設された水平断面鉤状の係合部である。
【００１５】
次に本体枠６の他側縁（自由側縁）に固設される施錠装置４０の構成を図７の施錠装置４０の分解斜視図に従い説明する。該施錠装置４０は、上下方向に長い水平断面略コ字状の基板４１が本体枠６に固設され、上下方向に長い板状の作動杆４２の４箇所に長孔４３ａ〜４３ｄが開設され、該各長孔にリベット４４ａ〜４４ｄを遊嵌して該各リベットを基板４１に固植することにより、上下に摺動自在なるように設けられる。該基板４１の下端部寄りに起立形成された取付部４５にシリンダ錠１２が固設され、該シリンダ錠１２の後端部から突出した回転軸に二股状のカム片１２ｂが固設され、該カム片に作動杆４２の下端部寄りに形成された起立片４６が係合し得るように組み立てられる。
【００１６】
４８ａ，４８ｂは、前記係合部材４ａ，４ｂに係脱する上向き鉤状の係合片で、該係合片４８ａ，４８ｂは基板４１に形成された細長孔４９ａ，４９ｂに貫挿させて先端を裏方向に突出させるとともに、前記リベット４４ｂ、４４ｄを該係合片４８ａ，４８ｂの基部に形成された小長孔５０ａ，５０ｂに遊嵌することにより該小長孔５０ａ，５０ｂの形成範囲内にて上下に摺動可能に支持され、コイル状のスプリング５１ａ，５１ｂを該係合片４８ａ，４８ｂに張設することにより該係合片４８ａ，４８ｂを上向きに付勢している。そして、前記作動杆４２に形成された張出部５２ａ，５２ｂが該係合片４８ａ，４８ｂの基部に形成された起立部５３ａ，５３ｂと対峙し、前記作動杆４２が下方に摺動したとき該張出部５２ａ，５２ｂが起立部５３ａ，５３ｂに当たり該係合片４８ａ，４８ｂが下降する。
【００１７】
５５ａ，５５ｂは、前記係合部３２ａ，３２ｂに係脱する下向き鉤状の係合片で、該係合片５５ａ，５５ｂは基板４１に形成された切欠５６ａ，５６ｂから前方向に突出させるとともに、前記リベット４４ａ、４４ｃを該係合片５５ａ，５５ｂの基部に形成された小長孔５７ａ，５７ｂに遊嵌することにより該小長孔５７ａ，５７ｂの形成範囲内にて上下に摺動可能に支持され、コイル状のスプリング５１ａ，５８ｂを該係合片５５ａ，５５ｂに張設することにより該係合片５５ａ，５５ｂを下向きに付勢している。そして、前記作動杆４２に形成された張出部５９ａ，５９ｂが該係合片５５ａ，５５ｂの基部に形成された起立部６０ａ，６０ｂと対峙し、前記作動杆４２が上方に摺動したとき該張出部が該起立部６０ａ，６０ｂに当たり該係合片５５ａ，５５ｂを上昇させる。
【００１８】
また、６５ａ，６５ｂは、前記係合部２０ａ，２０ｂに係脱させるために設けられた上向き鉤状の係合片で、該係合片６５ａ，６５ｂは基板４１に形成された切欠６６ａ，６６ｂから前方向に突出するようにリベット６７ａ，６７ｂを透孔６８ａ，６８ｂに貫挿することにより回転自在に設けられ、コイル状のスプリング６９ａ，６９ｂを張設することにより該係合片６５ａ，６５ｂを上向きに付勢している。そして、前記作動杆４２に形成された張出部７０ａ，７０ｂが該係合片６５ａ，６５ｂの基部に形成された起立部７１ａ，７１ｂと対峙し、前記作動杆４２が上方に摺動したとき該張出部が起立部７１ａ，７１ｂに当たり該係合片６５ａ，６５ｂを下向きに回転させる。
なお、７２は作動杆４２の略中間部にて前向きに張り出すように形成された連動片で、該連動片７２は後述するように前記起立部３５と対峙し係脱機構３０を作動させる。
【００１９】
７５ａ，７５ｂは基板４１の後方拡張部７６ａ，７６ｂに設けた遊技盤押出機構で、該各遊技盤押出機構は、押出金具に押圧部７７ａ，７７ｂが遊技盤２０の裏面と相対するように折り曲げ形成され、該押出金具の基部７８ａ，７８ｂに透孔７９ａ，７９ｂおよび該透孔を曲率中心とする円弧状孔８０ａ，８０ｂが形成され、該透孔７９ａ，７９ｂにリベット８１ａ，８１ｂを貫挿し、円弧状孔８０ａ，８０ｂにリベット８２ａ，８２ｂを貫挿することにより、後方拡張部７６ａ，７６ｂに該押出金具が該円弧状孔８０ａ，８０ｂの形成範囲内にて回転自在に支持され、コイル状のスプリング８３ａ，８３ｂを該押圧金具に張設することにより常態では該押圧部７７ａ，７７ｂが後退するように付勢している。そして、前記作動杆４２に形成された張出部８４ａ，８４ｂが基部７８ａ，７８ｂに形成された突部８８ａ，８８ｂと対峙する。このため作動杆４２が上方に摺動したとき該張出部が該突部８８ａ，８８ｂに当たり該押圧金具をスプリング８３ａ，８３ｂの張力に抗して回転させ押圧部７７ａ，７７ｂを前方に突出させる。なお、該押圧部７７ａ，７７ｂは遊技盤２０の他側縁の裏面の上下部に相対する。
【００２０】
図９〜図１２は該施錠装置４０の組立状態の斜視図であるが、図９、図１０はこの斜視図に遊技盤２０に固設された前記係合部２０ａ，２０ｂを併記したことで、該係合部２０ａ，２０ｂと前記係合片６５ａ，６５ｂとの係合位置関係が表示される。また、図１１、図１２はさらにこれに前記係脱機構３０を併記した図面であり、これによって前記係合部３２ａ，３２ｂと前記係合片５５ａ，５５ｂとの係合位置関係が表示される。
【００２１】
このように構成したパチンコ遊技機では、図３に示したように、前記機枠１内に本体枠６を収容した状態では、前記係合片４８ａ，４８ｂが前記係合部材４ａ，４ｂに係合し、スプリング５１ａ，５１ｂの弾性によりその係合状態が保持される。
また、図２に示したように、遊技盤２０の一側縁を止着片６ａに係合し、該遊技盤２０の他側縁に設けられた係合部２０ａ，２０ｂに係合片６５ａ，６５ｂを係合させることで、該遊技盤２０が本体枠６の額縁状部内に固設され、スプリング６９ａ，６９ｂの弾性により該係合部２０ａ，２０ｂと係合片６５ａ，６５ｂとの係合状態が保持される。以下、この係合機構のことを第２係合機構という。またこの係合状態では該遊技盤２０の裏面に前記遊技盤押出機構７５ａ，７５ｂの押圧部７７ａ，７７ｂが相対する。
【００２２】
また、図１に示したように、透明板保持枠１４を閉じたとき、係合部３２ａ，３２ｂに係合片５５ａ，５５ｂが係合し、スプリング５１ａ，５８ｂの弾性によりその係合状態が保持される。以下、この係合機構のことを第１係合機構という。またこの第１係合機構が作動すると同時に、係合片３７ａ，３７ｂが係合部２０ａ，２０ｂに係合し、スプリング３８の弾性によってその係合状態が保持される。このため、この構造では、該透明板保持枠１４が本体枠６に設けられた施錠装置４０に係合されるだけでなく、遊技盤２０に対しても係合され、二重のロック状態となるので、不正の目的で透明板保持枠１４が開けられるのを防止することができる。
また、係合部２０ａ，２０ｂに対し下方から上向き鉤状の係合片６５ａ，６５ｂが係合し、上方から下向き鉤状の係合片３７ａ，３７ｂを係合させているとともに、係合片５５ａ，５５ｂを係合部３２ａ，３２ｂに係合させているので、本体枠６と遊技盤２０と透明板保持枠１４とが強固に連結され、頑強なロック状態が実現されるので、耐久性が向上するとともに、不正な操作をするための針金等の部材を遊技機内に挿入することができないようすることができ、セキュリティーが向上する。
【００２３】
一方、シリンダ錠１２の鍵孔に特定のキーを挿入し、該シリンダ錠を左方向に回転操作し、図１４に示したように、カム片１２ｂを起立片４６に係合させて作動杆４２を上動させると、張出部５９ａ，５９ｂが起立部６０ａ，６０ｂを介して係合片５５ａ，５５ｂを押し上げることで、前記第１係合機構が係合解除作動し、該係合部３２ａ，３２ｂと該係合片５５ａ，５５ｂとの係合が解除されると同時に、該作動杆４２に形成された連動片７２が起立部３５を介して係脱部材３４を押し上げることから、係合片３７ａ，３７ｂと係合部２０ａ，２０ｂとの係合が解除される。このため図２に示したように透明板保持枠１４が開かれ、遊技盤２０面に遊技球が詰まったときのようなトラブルに対処される。
【００２４】
そして、透明板保持枠１４を開くことにより連動片７２が起立部３５から離れるので、その状態では図１６に示したように該シリンダ錠１２をさらに同方向に回転操作し図１５に示したように作動杆４２をさらに上動できるようになる。即ち、図６に示したように、長孔３５ａ，３５ｂの長さによって規制される係脱部材３４の上下動可能範囲は、作動杆４２の上下動可能範囲よりも狭く設定されていることから、透明板保持枠１４を開かなければシリンダ錠１２をさらに同方向に回転操作することできないようになっている。このため、透明板保持枠１４を開いた後にシリンダ錠１２をさらに同方向に回転操作すると、はじめて張出部７０ａ，７０ｂが起立部７１ａ，７１ｂに当接し、そのまま押し上げることで、前記第２係合機構が作動し、係合片６５ａ，６５ｂが下動することで係合部２０ａ，２０ｂとの係合、即ち、遊技盤２０との係合が解除される。このように本発明では、透明板保持枠を開くことによりにより初めてシリンダ錠をさらに回転操作することを可能とする操作制限手段を設け、第２係合機構は第１係合機構を係合解除作動させて透明板保持枠１４を開かないと係合解除作動できないようにしたことにより、透明板保持枠１４だけを開けようとして一気に誤って遊技盤２０をも係合解除してしまうのを防ぐことができる。なお、係脱部材３４の上下動可能範囲は長孔３５ａ，３５ｂの長さによって規制されるほか、前記取付板３３に突設されたストッパ３３ａが該係脱部材３４に当たることによっても規制される。
【００２５】
また、第２係合機構を係合解除作動させた後、図１８に示したように該シリンダ錠１２をさらに同方向に回転操作し、図１７に示したように作動杆４２をさらに上動させると、遊技盤押出機構が作動して遊技盤２０が前方に押し出される。即ち、作動杆４２がさらに上動するのに伴い張出部８４ａ，８４ｂが押圧金具７５ａ，７５ｂを回転させ押圧部７７ａ，７７ｂを前方に突出させ、遊技盤２０の他側縁の裏面の上下部を前方に押圧し、該遊技盤２０を本体枠６前面の額縁状凹窪部から離脱させる。そこで、前記ツマミ１９を操作し支軸１７を下動させ該支軸１７を軸受部１１aから抜くことにより該遊技盤２０を本体枠６から取り外すことができる。
【００２６】
また、透明板保持枠１４を開いた後、該透明板保持枠１４の係脱部材３４を図３に示したように本体枠６から離脱させた遊技盤２０の係合部２０ａ，２０ｂに係合させ、この状態で前記ツマミ１９を操作し支軸１７を下動させ該支軸１７を軸受部１１ａから抜くことにより、図４に示したように、透明板保持枠１４および遊技盤２０をワンセットとして本体枠６から取り外すこともできる。このため、透明板保持枠１４と遊技盤２０とをワンセットとして交換し、遊技機をリニューアルすることができる。なお、この構造によれば、透明板保持枠１４だけを交換することも、遊技盤２０だけを交換することも可能である。
なお、この実施形態では遊技盤２０と透明板保持枠１４とが直接開閉自在に軸支される構造として説明したが、遊技盤２０を保持する遊技盤保持枠を別途設け、この遊技盤保持枠と透明板保持枠とを開閉自在に軸支する構造としてもよいことは言うまでもない。この構造にした場合は、この実施形態の遊技盤２０を遊技盤保持枠として読み替えるものとする。
【００２７】
また、この構造では、間隔を離した上下２箇所の押圧部７７ａ，７７ｂによって遊技盤２０が押し出されるようにしたので、本体枠６から遊技盤２０が不安定に傾くことなく離脱させることができ、本体枠６と遊技盤２０との相対する面に一対のコネクタ（図示せず）が設けられ、該コネクタによって本体枠６と遊技盤２０とが電気的に接続されている場合に、遊技盤２０が傾くことなく離脱することから該コネクタを破損させるおそれがない。
【００２８】
なお、シリンダ錠１２の鍵孔に挿入した特定のキーによってシリンダ錠１２を右方向に回転操作し、図１９、図２０に示したように作動杆４２を下動させると、係合片４８ａ，４８ｂが下動し、係合部材４ａ，４ｂとの係合が解かれるので、図示しないが、本体枠６を支軸２ａ，２ｂを中心として前方に回転させることで、機枠１内に収容されていた本体枠６を前方に開くことができる。
【００２９】
以上の実施形態に示したように本発明では、本体枠６の前面に遊技盤２０を固定するための機構が施錠装置４０に組み込まれ、遊技盤２０を施錠装置４０の係合片６５ａ，６５ｂと係合させることによって本体枠６に固定することができるので、従来のように大きくて嵩張るクランプ装置を設ける必要がなく、省スペース化がなされる。このため遊技盤の遊技領域を十分に確保することができ、狭い遊技盤面を有効に活用できるようになる。また、透明板保持枠１４を開閉するために従来から設けられている施錠装置のシリンダ錠１２を回転操作するだけで遊技盤２０を前面から簡単に離脱させることができるので、遊技盤２０の交換による遊技機のリニューアルを容易にすることができる。さらには、本発明では、操作制限手段を設けたことにより、シリンダ錠１２を回転操作した際に遊技盤２０をもが無用に誤って係合解除されてしまうようなことがないので、操作性、安全性が向上し、セキュリティー上の問題も解決される。
【符号の説明】
【００３０】
１                機枠
２，３            受片
４ａ，４ｂ        係合部材
６                本体枠
１０、１１        軸受片
１２              シリンダ錠
１４              透明板保持枠
１６              透明板
２０              遊技盤
２０ａ，２０ｂ    係合部
２１              遊技領域
２４、２５        軸受片
３０              係脱機構
３２ａ，３２ｂ    係合部
３４              係脱部材
４０              施錠装置
４２              作動杆
４８ａ，４８ｂ    係合片
５５ａ，５５ｂ    係合片
６５ａ，６５ｂ    係合片
７２              連動片
７５ａ，７５ｂ    遊技盤押出機構
７７ａ，７７ｂ    押圧部
【図１】
2014176481.tif 000003
【図２】
2014176481.tif 000004
【図３】
2014176481.tif 000005
【図４】
2014176481.tif 000006
【図５】
2014176481.tif 000007
【図６】
2014176481.tif 000008
【図７】
2014176481.tif 000009
【図８】
2014176481.tif 000010
【図９】
2014176481.tif 000011
【図１０】
2014176481.tif 000012
【図１１】
2014176481.tif 000013
【図１２】
2014176481.tif 000014
【図１３】
2014176481.tif 000015
【図１４】
2014176481.tif 000016
【図１５】
2014176481.tif 000017
【図１６】
2014176481.tif 000018
【図１７】
2014176481.tif 000019
【図１８】
2014176481.tif 000020
【図１９】
2014176481.tif 000021
【図２０】
2014176481.tif 000022